(57)【特許請求の範囲】
【請求項１】
キャビネット等の家具の本体ケースの背面に、４周側にわたって配線通路が連通するように形成された枠状の配線ダクト体を連結し、該配線ダクト体の裏面をパネル装置にて覆うように連結してなる家具であって、
前記パネル装置は、前記配線ダクト体の背面に連結し、配線ダクト体の上面より上方に突出する一対の支柱と、前記配線ダクト体の背面側を覆い、且つ前記一対の支柱の後面に着脱可能に取り付けるバックパネル板と、前記配線ダクト体の上方にて前記一対の支柱の前面に着脱可能に取り付ける前パネル板とにより構成されていることを特徴とする家具における配線構造。
【請求項２】
前記配線ダクト体の左右両側面及び上面を、それぞれ着脱自在なカバー板にて覆い、各カバー板の表面と、前記家具の本体ケースにおける側面及び天面とが略面一状となるように構成したことを特徴とする請求項１に記載の家具における配線構造。
【請求項３】
前記配線ダクト体の裏面を覆う前記パネル装置の上端を、前記家具の本体ケースの天面より上方に突出させたことを特徴とする請求項１または請求項２に記載の家具における配線構造。
【発明の詳細な説明】
【０００１】
【発明の属する技術分野】
本発明は、キャビネット等の物品を収納する家具の背面側に形成する配線構造に関するものである。
【０００２】
【従来の技術】
最近のオフィス環境では、書類等を収納する収納家具としてのキャビネットの高さを低くし、該キャビネットの天面にプリンタ等のＯＡ機器を配置するというレイアウトが考えられている。
【０００３】
他方、例えば、実公平３−３６２６４号公報には、化粧用等の目的で、キャビネットの背面の左右両側部に、ネジで支柱を固着し、この左右両支柱にパネル要素としてのパネル板を取付けする。そして、パネル板とキャビネットの背面との隙間を配線空間に利用することが開示されている。
【０００４】
【発明が解決しようとする課題】
しかしながら、前記先行技術によれば、挿通させる配線コードの太さが大きい場合に、配線空間の隙間を大きくするには、前記支柱の太さを大きくしたものに交換するしか方法がなかった。
【０００５】
また、前記先行技術によれば、キャビネットの本体ケースの天面の面積を大きくすることもできなかった。
【０００６】
本発明は、このような現状を改善することを技術的課題とし、キャビネット等の家具の本体ケースに簡単に後付けできる配線構造を提供することを目的とするものである。
【０００７】
【課題を解決するための手段】
前記目的を達成するため、請求項１の発明の家具における配線構造は、キャビネット等の家具の本体ケースの背面に、４周側にわたって配線通路が連通するように形成された枠状の配線ダクト体を連結し、該配線ダクト体の裏面をパネル装置にて覆うように連結してなる家具であって、前記パネル装置は、前記配線ダクト体の背面に連結し、配線ダクト体の上面より上方に突出する一対の支柱と、前記配線ダクト体の背面側を覆い、且つ前記一対の支柱の後面に着脱可能に取り付けるバックパネル板と、前記配線ダクト体の上方にて前記一対の支柱の前面に着脱可能に取り付ける前パネル板とにより構成されているものである。
【０００８】
そして、請求項２に記載の発明は、請求項１に記載の家具における配線構造において、前記配線ダクト体の左右両側面及び上面を、それぞれ着脱自在なカバー板にて覆い、各カバー板の表面と、前記家具の本体ケースにおける側面及び天面とが略面一状となるように構成したものである。
【０００９】
また、請求項３に記載の発明は、請求項１または請求項２に記載の家具における配線構造において、前記配線ダクト体の裏面を覆う前記パネル装置の上端を、前記家具の本体ケースの天面より上方に突出させたものである。
【００１０】
【発明の実施形態】
次に、本発明を具体化した実施形態を図面に基づいて説明する。図１〜図４は第１実施形態を示し、図１は、高さの低いキャビネットの本体ケース１の背面に配線ダクト体１２を連結し、さらにその裏面にパネル装置４０を連結した斜視図、図２は各部品の分解斜視図、図３は縦長の配線ダクト体１２の分解斜視図、図４は図１のIV−IV線矢視の断面図である。キャビネットの本体ケース１は、左右側板１ａと、背面板１ｂと上面板（図示せず）とからなり、中空状のベース２に載置されている。各キャビネットの本体ケース１には前面側に開閉扉３が上下複数段に配置されている。本体ケース１の上面板に固定する木製等の天板４上にプリンタ等のＯＡ機器５を載せる。
【００１１】
キャビネットの本体ケース１の背面板１ｂに沿わせて立設連結する縦長の配線ダクト体１２は、図２及び図３に示すように、略矩形状の中央部孔１４が穿設された前後側板１３ａ，１３ｂを、前記中央部孔１４の箇所で四角枠状の内周連結板１５にて溶接連結し、且つ前記前後側板１３ａ，１３ｂの下端間を下部連結板１６にて溶接接続させた３方（左右方向及び上方）開放の板金製の枠体からなる。前記前後側板１３ａ，１３ｂの前記開放された左右縁及び上方縁を若干内向きに折曲して縁片１７ａ，１７ｂ，１７ｃを形成する。
【００１２】
配線ダクト体１２における前記前後側板１３ａ，１３ｂの間の外周のダクト部は、前記開放された左右辺の縦ダクト部１９ａ、１９ｂと、上部辺の左右長手の上横ダクト部１９ｃと、下部辺左右長手の下横ダクト部１９ｄとが環状に連通していることになる。
【００１３】
前記配線ダクト体１２はその一方の側板（実施形態では前側板１３ａ）とキャビネットの本体ケース１の背面板１ｂとをビス（ネジ）にて固定する。配線ダクト体１２における他方の側板（実施形態では後側板１３ｂの外面と前記中央孔１４の部分）を、後述するパネル装置４０にて覆うように連結して一体的にカバーする。
【００１４】
同様に、配線ダクト体１２における前記縦ダクト部１９ａ、１９ｂの外側は、縦カバー板２０、２０を着脱自在に装着して塞ぐ。縦カバー板２０の取付けはネジ２１止めでも良いし、各カバー板２０の内面に突設した係止爪（図示せず）を、前記縁片１７ａ，１７ｂ，１７ｃに切欠き形成された係止溝に弾性的に係脱するように構成しても良い。
【００１５】
前記上横ダクト部１９ｃの外側（上側）は上面カバー板２２にて着脱自在に覆うが、図１および図４に示すように、該上面カバー板２２の上面と前記天板４の上面とが略同一平面状となるように揃え、上面カバー板２２と天板４の側縁とが当接して隙間のないように並べられることが好ましい。
【００１６】
パネル装置４０は、左右一対の支柱４１と、その後面に配置した第１、第２のバックパネル板４２，４３と、支柱４１の上部前面に配置した前パネル板４４と、左右支柱４１、４１の下端間を繋ぐコード受け樋兼用の下横梁４５並びに左右支柱４１、４１の上端間を繋ぐ笠木４６とを備えている。従って、支柱４１は、キャビネットの本体ケース１における天板４より上方に前パネル板４４の高さ分だけ高く延びている。
【００１７】
支柱４１は平面視コ字状に形成されており（中空角形等の他の断面形状でもよい）、図４に示すように、前記配線ダクト体１２の後側板１３ｂにネジ５０止めするが、支柱４１における一方の側板に切り起こし成形された上下複数の下向き係合爪（図示せず）を前記配線ダクト体１２の後側板１３ｂに穿設された上下複数箇所の係止孔（図示せず）に落とし込み係合して固定しても良い。
【００１８】
第１バックパネル板４２及び第２バックパネル板４３、前パネル板４４は、その上下高さ寸法が違うだけで基本的には同じ構造であり、金属板を薄箱状に折り曲げることによって形成されており、表面にはクロス（織布）等の表装材が張られている。
【００１９】
各パネル板４２，４３，４４における裏面の四隅部にはそれぞれ合成樹脂製の係止ブロックが装着されており、下部に配置した左右の係止ブロックには下向き鉤状の下爪４７が一体に設けられている。また、上部の左右係止ブロックには、上向き突起を備えた板状の上爪４９と、その下方に位置した側面視山形のストッパー片（図示せず）とが形成されている。
【００２０】
支柱４１における両ひれ板４１ｂ，４１ｂには各爪４７，４９に対応して一対ずつの溝穴５１，５２が空けられており、先に下爪４７を下溝穴５２に落とし込んでから、上爪４９とストッパー片とを上溝穴５１に弾性に抗して押し込み挿入することにより、各パネル板４２，４３，４４を支柱４１に装着することができる。
【００２１】
そして、前記左右支柱４１、４１の外側とバックパネル板４２、４３、前パネル板４４の側縁とを縦エッジカバー体５５、５５にて覆い、笠木４６の両端部と、各縦エッジカバー体５５の上端とをコーナエッジカバー５４を介して連結する。
【００２２】
そして、図１、図２及び図４に示すように、配線ダクト体１２における上面カバー板２２には、配線引き出し口５６を設け、該配線引き出し口５６は弾性変形可能な２枚のゴム板（軟質合成樹脂材でも可能）５７をつき合わせ状に塞ぎ、キャビネット上のＯＡ機器５からの配線コードＣを、この２枚のゴム板５７のつき合わせ縁から配線ダクト体１２内に引き込むように構成されている。なお、他の実施形態として、前記配線引き出し口５６には、２枚の硬質合成樹脂材製蓋板を、上下回動させた後、上面カバー板２２の板厚と直角方向に押し込みできるように装着し、配線引き出し口５６を大きく開口可能に構成しても良い。
【００２３】
配線ダクト体１２内には、図４に示すように、例えば上横ダクト部１９ｃ等に電源用ボックスやコンセント５９を設け、配線ダクト体１２の縦ダクト部１９ｂ、下横ダクト部１９ｄを介してベース２への通孔２ａ等に配線コード（電源コード）Ｃを挿通させることができる（図４参照）。
【００２４】
上記の構成により、オフィスの任意の箇所に設置したキャビネットにおいて、二重床や壁、パーティション等の基部に設けたコンセント（図示せず）から引いた配線コードＣは、図４に示すように、キャビネットのベース２に穿設された挿通孔２ａを介して配線ダクト体１２内に導いたり、配線ダクト体１２の下端から前記縦ダクト部１９ａ（１９ｂ）を経て上方に導き、上横ダクト部１９ｃから配線ダクト体１２の上面カバー板２２における配線引き出し口５６を経て、本体ケース上の天板４に載置したファクシミリ装置、プリンタ、ＣＲＴなどのディスプレイ、プロジェクタ等のＯＡ機器５に配線することが至極簡単にできる。その場合、バックパネル板４２、４３や縦カバー板２０を予め外しておくことにより、配線作業が容易となる。
【００２５】
従って、配線コードＣが太い場合、配線ダクト体１２の箇所を通過するように配線すれば良い。配線作業に際しては、前記バックパネル板４２、４３を支柱４１から外した状態で行うのが好ましいが、このバックパネル板４２、４３が部屋の壁に密接しているときには、前パネル板４４を外し、もしくは上面カバー板２２や縦カバー板２０を外した状態で行うことができる。電源用コードと電話線等の情報用コードとが接近しないように別々の配線空間を必要とするときには、前記配線ダクト体１２側の配線空間に太い配線コードＣを挿通する一方、パネル装置４０の支柱４１の厚さ内の配線空間は電話線等の情報用コードを挿通するように利用すれば良い。
【００２６】
図５に示す参考例では、キャビネットの本体ケース１の背面に前記配線ダクト体１２を連結し、該配線ダクト体１２の裏面に支柱４１を介することなくバックパネル板６０を直接取付けするものである。この場合も、前記第１実施形態のように支柱４１に対してバックパネルを着脱自在としたと同じ構成を採用する。また、上面カバー板２２の下面にてバックパネル板６０の上端を覆うように当接させ、天板４と面一状の上面カバー板２２の上面積を大きくして物品の載置面を広げることができる。その他の構成、作用・効果は第１実施形態と同じであるので、同一の部品、構成の箇所には同じ符号を付して、詳細な説明は省略する。
【００２７】
上記実施形態及び参考例では、配線ダクト体１２の枠構造が、家具の本体ケース１の背面において、４周側にわたって配線通路が連通するように形成されているから、この配線ダクト体１２に対して本体ケースの側面から接近しやすくなり、前記４周の配線通路に対する配線作業が至極容易になる。また、配線ダクト体１２の裏面はバックパネル板４２、４３、６０にて各々着脱自在に覆われているから、このバックパネル板を外すことで配線ダクト体１２の背面からの接近、配線作業が至極容易になる。
【００２８】
配線ダクト体１２の上面と左右両側面とが各々着脱自在なカバー板２２、２０、２０で覆われているから、各カバー板を取り外すことで、前記４周の配線通路を簡単に開放できる。しかも、各カバー板２２、２０、２０の表面と、前記家具の本体ケース１における側面及び天面とが略面一状となるように構成したものであるから、配線作業後、取付けられた配線ダクト体１２の外周面が家具の本体ケース１の外周面と面一状となって一体感が形成できる。
【００２９】
【発明の作用・効果】
上述したように、請求項１の発明の家具における配線構造は、キャビネット等の家具の本体ケースの背面に、４周側にわたって配線通路が連通するように形成された枠状の配線ダクト体を連結し、該配線ダクト体の裏面をパネル装置にて覆うように連結してなる家具であって、前記パネル装置は、前記配線ダクト体の背面に連結し、配線ダクト体の上面より上方に突出する一対の支柱と、前記配線ダクト体の背面側を覆い、且つ前記一対の支柱の後面に着脱可能に取り付けるバックパネル板と、前記配線ダクト体の上方にて前記一対の支柱の前面に着脱可能に取り付ける前パネル板とにより構成されているものである。
【００３０】
この構成により、家具の本体ケースの背面側の配線空間が、配線ダクト体が有する空間分だけ大きくなり、太い配線コードや多数の配線コードを収納できる。また、配線ダクト体の枠構造が、家具の本体ケースの背面において、４周側にわたって配線通路が連通するように形成されているから、この配線ダクト体に対して本体ケースの側面から接近しやすくなり、前記４周の配線通路に対する配線作業が至極容易になるという効果を奏する。さらに、家具の本体ケースの背面及び配線ダクト体の裏面がパネル装置にて隠されるから、この家具を部屋の中央側等人目に付き易い場所に配置しても美観を損なわないという効果を奏する。
【００３１】
しかも、電源用コードと電話線等の情報用コードとが接近しないように別々の配線空間を必要とするときには、前記配線ダクト体１２側の配線空間に太い配線コードＣを挿通する一方、パネル装置４０の支柱４１の厚さ内の配線空間は電話線等の情報用コードを挿通するように利用することができる。
【００３２】
そして、請求項２に記載の発明は、請求項１に記載の家具における配線構造において、前記配線ダクト体の左右両側面及び上面を、それぞれ着脱自在なカバー板にて覆い、各カバー板の表面と、前記家具の本体ケースにおける側面及び天面とが略面一状となるように構成したものであるから、各カバー板を取り外すことで、前記４周の配線通路を簡単に開放できる。しかも、各カバー板の表面と、前記家具の本体ケースにおける側面及び天面とが略面一状となるのであるから、配線作業後、取付けられた配線ダクト体の外周面が家具の本体ケースの外周面と面一状となって一体感が形成できるという効果を奏する。
【００３３】
また、請求項３に記載の発明は、請求項１または請求項２に記載の家具における配線構造において、前記配線ダクト体の裏面を覆う前記パネル装置の上端を、前記家具の本体ケースの天面より上方に突出させたものである。このように構成すれば、請求項１または請求項２に記載の発明の効果に加えて、本体ケースの天面に載置したＯＡ機器の背面、配線コードの引き回し箇所をパネル装置で隠すことができるという効果を奏する。
【図面の簡単な説明】
【図１】  本発明のキャビネットにおける配線構造の斜視図である。
【図２】  配線構造の分解斜視図である。
【図３】  配線ダクト体の一部切欠き斜視図である。
【図４】  図１のIV−IV線矢視断面図である。
【図５】  参考例の側断面図である。
【符号の説明】
１‥‥本体ケース
１ａ‥‥側板
１ｂ‥‥背面板
２‥‥ベース
３‥‥開閉扉
４‥‥天板
５‥‥ＯＡ機器
１２‥‥配線ダクト体
１３ａ，１３ｂ‥‥前後側板
１４‥‥中央部孔
１５‥‥内周連結板
１７ａ，１７ｂ，１７ｃ‥‥縁板
１９ａ，１９ｂ‥‥縦ダクト部
１９ｃ‥‥上横ダクト部
１９ｄ‥‥下横ダクト部
２０‥‥縦カバー体
２２‥‥上面カバー板
４０‥‥パネル装置
４１‥‥支柱
４２、４３、６０‥‥バックパネル板
４４‥‥前パネル板
４６‥‥笠木
４７‥‥縦エッジカバー体
４８‥‥コーナエッジカバー
【図１】
0003706297.tif 000002
【図２】
0003706297.tif 000003
【図３】
0003706297.tif 000004
【図４】
0003706297.tif 000005
【図５】
0003706297.tif 000006